(57)【特許請求の範囲】
【請求項１】
燃焼用空気及び燃焼排ガスの通路となる通気路と、該通気路に配設された蓄熱体と、前記通気路の一端側に設けられた燃焼用空気噴射口とを備え、主燃焼時には燃焼用空気を前記蓄熱体で予熱して前記燃焼用空気噴射口から噴出し、主燃焼以外のときには燃焼排ガスを前記燃焼用空気噴射口から導入して前記蓄熱体を通過させ、該蓄熱体で熱回収する構造の蓄熱式バーナにおいて、
前記蓄熱体における前記燃焼排ガスの流入断面を、前記蓄熱体と前記燃焼用空気噴射口との間の通気路断面よりも小さく設定し、前記燃焼用空気噴射口から導入された燃焼排ガスの全部又は一部が前記蓄熱体にストレートに流入しないように前記蓄熱体を配置したことを特徴とする蓄熱式バーナ。
【請求項２】
燃焼用空気及び燃焼排ガスの通路となる通気路と、該通気路に配設された蓄熱体と、前記通気路の一端側に設けられた燃焼用空気噴射口とを備え、主燃焼時には燃焼用空気を前記蓄熱体で予熱して前記燃焼用空気噴射口から噴出し、主燃焼以外のときには燃焼排ガスを前記燃焼用空気噴射口から導入して前記蓄熱体を通過させ、該蓄熱体で熱回収する構造の蓄熱式バーナにおいて、
前記蓄熱体における前記燃焼排ガスの流入断面の一部に、前記燃焼排ガスが通過できない壁体を形成し、前記燃焼用空気噴射口から導入された燃焼排ガスの全部又は一部が前記蓄熱体にストレートに流入しないようにしたことを特徴とする蓄熱式バーナ。
【請求項３】
請求項１乃至２のいずれかに記載の蓄熱式バーナをラジアントチューブの端部に少なくとも１つ以上配置したことを特徴とするラジアントチューブバーナ。
【請求項４】
前記ラジアントチューブバーナにおける蓄熱式バーナは、燃焼用空気噴射口がラジアントチューブの径方向に偏心して設けられていることを特徴とする請求項３記載のラジアントチューブバーナ。
【発明の詳細な説明】
【０００１】
【発明の属する技術分野】
本発明は、工業用加熱炉、間接加熱炉等の熱設備に設置される蓄熱式バーナ及び該蓄熱式バーナを用いたラジアントチューブバーナに関するものである。
【０００２】
【従来の技術】
図１０はバーナに付随して蓄熱体が設けらた従来の直火式の蓄熱式バーナを用いた加熱炉の一例を示している。図１０において、２は加熱炉、５ａ、５ｂは加熱炉２に対向配置されたバーナ、１７ａ、１７ｂはバーナ５ａ，５ｂにおける燃焼用空気を供給する管路に設置された蓄熱体、２５ａ、２５ｂは燃料遮断弁、４１は燃焼用空気と燃焼排ガスの流路を切り替える切替弁、４２は燃焼排ガス排気口、８は加熱炉２内に投入された被加熱物である。
【０００３】
上記のように構成された加熱炉２においては、対向配置されたバーナ５ａ，５ｂは交互に燃焼して被加熱物８及び蓄熱体１７ａ、１７ｂを加熱する。すなわち、ある一定時間は一方に配置された蓄熱体を他方に配置されたバーナの燃焼排ガスで加熱し、次の一定時間は既に加熱されている前記一方の蓄熱体で燃焼用空気を予熱しながら一方に配置されたバーナを燃焼させ、この動作を交互に行うというものである。
この点を図１０に基づいて具体的に説明すると、図１０においては、バーナ５ａが燃焼状態であることを示しており、このとき蓄熱体１７ａは前回のバーナ５ｂの燃焼時にバーナ５ｂの燃焼排ガスによって高温に加熱されている。切替弁４１を介して吸入される常温（３０℃）の燃焼用空気が蓄熱体１７ａで加熱されて約１２５０℃の予熱空気となってバーナ５ａに供給されている。また、バーナ５ａの燃焼による燃焼排ガスの一部はバーナ５ｂを経て約１３５０℃で蓄熱体１７ｂに入り、蓄熱体１７ｂを加熱して２００℃で排気される。そして、所定の時間間隔で燃料遮断弁２５ａ、２５ｂと切替弁４１とを連動して切り替えることによってバーナ５ａとバーナ５ｂを切替えるように構成されている。
【０００４】
従来、蓄熱体１７ａ、１７ｂには、例えば、１３００℃以上の高温の燃焼排ガスが通過したとしても溶融しないセラミックスが用いられ、その形状はボール状あるいは塊状であった。しかし、蓄熱体には、単位容積当たりの熱交換面積が大きく、かつ、ガス通過面積が大きく、しかも流体通過時の圧力損失の小さい物が好ましいことから、最近ではハニカム構造の蓄熱体が用いられている。そして、例えば特公平２−２３９５０号公報に開示された発明に代表されるようなセラミックハニカムを蓄熱体とした蓄熱式バーナが提供されている。
【０００５】
なお、セラミックス製のハニカム状蓄熱体は押し出し成型したセラミックス材料を焼結して製造されている。従って、その断面形状は通過流体の流れ方向（蓄熱体の長手方向）で一定である。また、通過する流体は、ハニカム状蓄熱体のある升目に流れ込むと他の升目には拡散しない構造となっている。
【０００６】
上記図１０に示したものは直火式の蓄熱式バーナであったが、これとは別に加熱炉を間接加熱して炉内雰囲気を所望の状態（温度）に調整することが可能な加熱源として、例えば実公平２−２３９５０号公報に示されたラジアントチューブバーナがある。同公報に示されたラジアントチューブバーナは、図１１に示すように、ラジアントチューブ３の両端にバーナ５と蓄熱体１７を配置し、両端のバーナ５を交互に切替て交番燃焼するというものである。このような、いわゆる蓄熱式ラジアントチューブバーナ（リジェネレーティブラジアントチューブバーナ）は熱効率向上、ラジアントチューブ温度分布均一化によるラジアントチューブ寿命延長・補修費低減効果を発揮している。
【０００７】
【発明が解決しようとする課題】
しかしながら、セラミックス製のハニカムを用いて蓄熱バーナの蓄熱体を形成すると、前述のように、セラミックス製のハニカム状蓄熱体の断面形状は通過流体の流れ方向（蓄熱体の長手方向）で一定であり、また、通過する流体は、ハニカム状蓄熱体のある升目に流れ込むと他の升目には拡散しない構造となっているので、燃焼排ガスがハニカム状蓄熱体に流入前の流路にて偏流した場合には以下のような問題があった。すなわち、燃焼排ガスが偏流するとハニカム状蓄熱体におけるハニカム断面での流入量に差が生じる。そして、燃焼排ガスが多量に流れ込んだ升目では、ハニカム格子の蓄熱容量以上の熱を蓄積できないため、充分な排熱回収ができず、また、ハニカム格子が高温化し、少量しか流れ込まない升目の格子との温度差が大きくなりハニカム断面での熱応力が発生し、ハニカム状蓄熱体が割れて長期安定使用ができないという問題があった。すなわち、ハニカム状蓄熱体の割れが進行すると、微細化したハニカム破片が升目を閉塞したり、またハニカム内の流体の流れが乱れ圧力損失が増大したり、さらに破損したハニカムが飛散してバーナから炉内に吹き出し蓄熱容量を低下させるのである。
【０００８】
また、高温の燃焼排ガスの偏流と低温の燃焼用空気の偏流がマッチング、すなわち、多量に燃焼排ガスが流れ込む升目に多量の燃焼用空気が流れ込むような同等の偏流が生じている場合は熱回収効率が、均等に流れ込んでいる場合に比べて大幅に低下することはないが、高温の燃焼排ガスの偏流と低温の燃焼用空気の偏流がアンマッチング、すなわち、多量に燃焼排ガスが流れ込む升目に少量の燃焼用空気が流れ込み、少量の燃焼排ガスが流れ込む升目に多量の燃焼用空気が流れ込むような偏流が生じている場合は、高温の燃焼排ガスが蓄熱体より排出され、低温の予熱空気しか得られない低熱効率の蓄熱バーナとなってしまうという問題があった。
【０００９】
本発明は、上記問題点を解決するために発明されたもので、蓄熱体内を通過しようとする流体が偏流している場合でも、蓄熱体での偏熱の発生を防止して熱ストレス等による蓄熱体の割れを防止し、蓄熱体寿命の延命を図り、長期間安定した運転ができる蓄熱式バーナを提供することを目的としている。
【００１０】
【課題を解決するための手段】
本発明に係る蓄熱式バーナにおいては、燃焼用空気及び燃焼排ガスの通路となる通気路と、該通気路に配設された蓄熱体と、前記通気路の一端側に設けられた燃焼用空気噴射口とを備え、主燃焼時には燃焼用空気を前記蓄熱体で予熱して前記燃焼用空気噴射口から噴出し、主燃焼以外のときには燃焼排ガスを前記燃焼用空気噴射口から導入して前記蓄熱体を通過させ、該蓄熱体で熱回収する構造のものにおいて、前記蓄熱体における前記燃焼排ガスの流入断面を、前記蓄熱体と前記燃焼用空気噴射口との間の通気路断面よりも小さく設定し、前記燃焼用空気噴射口から導入された燃焼排ガスの全部又は一部が前記蓄熱体にストレートに流入しないように前記蓄熱体を配置したものである。
【００１１】
また、燃焼用空気及び燃焼排ガスの通路となる通気路と、該通気路に配設された蓄熱体と、前記通気路の一端側に設けられた燃焼用空気噴射口とを備え、主燃焼時には燃焼用空気を前記蓄熱体で予熱して前記燃焼用空気噴射口から噴出し、主燃焼以外のときには燃焼排ガスを前記燃焼用空気噴射口から導入して前記蓄熱体を通過させ、該蓄熱体で熱回収する構造の蓄熱式バーナにおいて、前記蓄熱体における前記燃焼排ガスの流入断面の一部に、前記燃焼排ガスが通過できない壁体を形成し、前記燃焼用空気噴射口から導入された燃焼排ガスの全部又は一部が前記蓄熱体にストレートに流入しないようにしたものである。
【００１２】
さらに、本発明に係るラジアントチューブバーナは、上記の蓄熱式バーナをラジアントチューブの端部に少なくとも１つ以上配置したものである。
【００１３】
また、ラジアントチューブバーナにおける蓄熱式バーナは、燃焼用空気噴射口がラジアントチューブの径方向に偏心して設けられてなるものである。
【００１４】
【発明の実施形態】
実施の形態１．
図１は本発明を適用したラジアントチューブバーナの一実施の形態を説明する説明図である。図において、１はラジアントチューブバーナで、略Ｕ字状に湾曲するラジアントチューブ３、およびこのラジアントチューブ３の両端部に配設される一対のバーナ５等により構成されている。ラジアントチューブバーナ１はラジアントチューブ３の内部をその両端部に配設されたバーナ５の燃焼排ガスが通過してラジアントチューブ３の外面が加熱され、その外表面から放射する放射熱で加熱炉、熱処理炉等の内部を加熱するというものである。
【００１５】
ラジアントチューブ３の両端部に配設された各バーナ５は同一の構成であり、バーナボディ９、バーナボディ９の内部に配設されて燃料ガスが通過するバーナガン１１、バーナボディ９とバーナガン１１との間に形成された燃焼用空気通路１３、燃焼用空気通路１３に配設された蓄熱体１７、蓄熱体１７の外周部に形成された壁体１２、及びバーナガン１１の先端部に設置されたバッフル１５等により構成されている。
【００１６】
バーナガン１１は、筒状に形成されたパイロット燃焼用空気通路２１、パイロット燃焼用空気通路２１の内部にやはり筒状に形成された燃料通路１９、及び図示しない点火プラグなどにより構成されている。このように、バーナガン１１は、パイロット燃焼用空気通路２１内に、これと同心円状に燃料通路１９が配置されているという単純な構造であり、バーナガン１１を比較的細く形成することができる。
【００１７】
図２はバーナガン１１の燃料通路１９に燃料を供給する燃料供給配管の配管系統図である。図２に基づいて、燃料供給配管の配管系統について説明する。燃料供給通路２３の一端側には図示しない燃料供給源が接続され、他端側にはバーナガン１１の燃料通路１９が接続される。そして、燃料供給通路２３の途中には、バーナガン１１への燃料の供給を制御する制御弁２５が介装されると共に、この制御弁２５を迂回するバイパス通路２７が設けられている。バイパス通路２７の途中には、バーナガン１１に供給される燃料をバーナガン１１がパイロット燃焼を行うのに最低限必要な量に調整する流量制御弁２９および制御弁３１が介装されている。
以上のように構成された配管系統においては、バーナーが主燃焼する場合には燃料供給通路２３の制御弁２５が開放されると共に、バイパス通路２７の制御弁３１が閉止される。一方、バーナがパイロット燃焼する場合には燃料供給通路２３の制御弁２５が閉止されると共に、バイパス通路２７の制御弁３１が開放される。
【００１８】
再び図１に基づいて、バーナガン１１の構成を説明する。バーナガン１１の周りの空間は燃焼用空気通路１３となっているが、一方のバーナ５が非作動の待機状態となっている場合には、この燃焼用空気通路１３は他方のバーナ５からの高温の燃焼排ガスが流れる排気通路となる。しかし、燃料通路１９の回りの空間はパイロット燃焼用空気通路２１が形成されており、しかもパイロット燃焼用空気通路２１内には燃焼前で低温（常温）の燃焼用空気が常に供給されているので、燃料通路１９内の燃料が燃焼用空気通路１３内の燃焼排ガスの熱で加熱され高温になることはない。
【００１９】
蓄熱体１７は、比較的圧力損失が低い割に熱容量が大きく、耐久性の高い材料（例えば、セラミックス）をハニカム状に形成し、その内部を空気が通過することができるように構成されている。そして、蓄熱体１７内を高温の燃焼排ガスが通過するときには蓄熱体１７が燃焼排ガスから熱を回収して加熱され、この加熱された蓄熱体１７内を燃焼用の空気が通過するときには通過空気が蓄熱体１７から熱を奪い昇温する。
【００２０】
壁体１２は、バッフル１５に形成された燃焼用空気噴射口３３より吸引される高温でかつ偏流して流入する燃焼排ガスを拡散させて、蓄熱体１７にほぼ均等に流入させる機能を有している。この壁体１２がない場合には、偏流して流入する燃焼排ガスが偏流したまま蓄熱体１７に流入することになり、本願明細書の発明が解決しようとする課題の項で説明したように、蓄熱体１７の破損という問題が生ずることになるが、この壁体１２の拡散作用によって、このような問題の発生を抑制することができるのである。
【００２１】
なお、壁体１２を設けない場合には、燃焼用空気噴射口３３と蓄熱体１７の間の空間を長くして高速で流入した燃焼排ガスがラジアントチューブ円形断面で拡散し、ラジアントチューブ断面でほぼ整流された流れになるまで成長させる必要があるが、このようにするには直線で数メートルの間隔が必要となり、バーナが巨大化し設備費が高騰することになる。したがって、壁体１２を設けることは、簡易な構成で拡散・整流効果が得られ、設備費の高騰を抑えることができる。
なお、壁体１２の材料は、高温の燃焼排ガスが高速で衝突しても浸食されない材質のものであれば如何なる物でも使用可能であるが、本実施の形態においては耐火煉瓦と同等の性質を有するプラスチック耐火物を使用している。
【００２２】
なお、他方のバーナ５も、上述した一方のバーナ５と同様に構成されており、各バーナ５の各バーナボディ９の一端側が空気通路機構１０を介して、燃焼用空気供給源及び大気側に接続されている。空気通路機構１０には、図１に示す四方弁４１が設けられており、各バーナ５と燃焼用空気供給源又は大気側との接続を切り替えることができるようになっている。
四方弁４１を図示する位置にした場合には、図中下側に配置されたバーナ５の燃焼用空気通路１３が燃焼用空気供給源に接続されると共に、図中上側に配置されたバーナ５の燃焼用空気通路１３が大気側に接続されるようになっている。そして、四方弁４１を切り替えた場合には、この接続関係が逆になる。
【００２３】
ここで、燃焼用空気とバーナ５の作動との関係を図３に示す。図３において、横軸はバーナ５の作動モードを示し、縦軸は燃焼量及び空気供給量を示している。
バーナ５が作動する燃焼モードでは、パイロット燃焼用空気に加えて主燃焼用空気がバーナ５に圧送供給される。
一方、バーナ５が非作動の待機状態となる排気モードでは、パイロット燃焼用空気のみが圧送されており、このバーナ５には、バーナガン１１がパイロット燃焼するのに適した量の燃焼用空気が供給される。この場合には、バーナ５の燃焼量は、バーナガン１１がパイロット燃焼するのみであり、本実施の形態の場合、５０００Kcal／Ｈ程度の燃焼量である。
以上の説明から分かるように、バーナガン１１のパイロット燃焼用空気通路２１にはバーナ５の作動状態とは無関係に常にパイロット燃焼用空気が供給されている。
【００２４】
図４は図１に示したラジアントチューブバーナ１のバーナ５の近傍の断面図であり、以下図４に基づいてバーナ５の近傍の構成を詳細に説明する。
ラジアントチューブ３は、図４に示すように、その中間部を炉壁７に設けられた取付孔７ａで支持し、端部を炉外に位置させるようにして、該端部に設けられたフランジ３ａが炉壁７外面に設けられた取付部７ｂに固定されている。ラジアントチューブ３の両端部と炉壁７との隙間は、図示しないシール部材で気密に塞がれている。
【００２５】
バーナボディ９は一端側がほぼ直角に屈曲した略円筒状からなり、屈曲側端部にはフランジ９ｃが、他端側にはフランジ９ｂがそれぞれ設けられており、フランジ９ｃがラジアントチューブ３のフランジ３ａと共に炉壁７の取付部７ｂに取り付けられている。このバーナボディ９の屈曲部には、バーナガン１１を挿入するための孔９ａが穿設されている。
【００２６】
バッフル１５は、ラジアントチューブ３内の炉壁７内面にほぼ対応する位置に配置されている。図５はバッフル１５の正面図である。図４及び図５に基づいて、バッフル１５の詳細を説明する。バッフル１５は、円板部１５ａと、この円板部１５ａの全周縁からバーナガン１１の方向に向けて延びる周壁１５ｂとにより構成され、この周壁１５ｂには内管１５ｆが連続して形成されており、内管１５ｆの端部にはフランジ３ａと重なるフランジ３５ａが形成されている。円板部１５ａの直径はラジアントチューブ３の内壁と概略同一に設定され、円板部１５ａはラジアントチューブ３内を閉塞している。また、バッフル１５の周壁１５ｂはラジアントチューブ３の内周面に略固定されている。
【００２７】
バッフル１５の円板部１５ａには、図５に示すように、その周縁部に切り欠き１５ｄが設けられると共に、中央より少し外周に偏った位置に小径孔１５ｃが設けられている。切り欠き１５ｄは、円板部１５ａの下端部分を半月状に切り欠いて形成されており、ラジアントチューブ３と共に燃焼用空気噴射口３３を構成している。すなわち、燃焼用空気噴射口３３は、ラジアントチューブ３の横断面に対して偏芯して設けられており、燃焼用空気はラジアントチューブ３内空間の偏芯した位置に高速で噴出してラジアントチューブ３内で自己排ガス循環流を形成する。一方、燃料ガスは、燃焼用空気噴射口３３から離れた位置にある小径孔１５ｃから噴出され、燃焼用空気による自己排ガス循環流に巻き込まれながら燃焼する。これによって、局部高温域を形成しない燃焼を実現し、蓄熱式ラジアントチューブバーナ最大の欠点であった窒素酸化物の大量発生を防止し低ＮＯx 燃焼を実現している。
【００２８】
また、小径孔１５ｃの位置は、バーナボディ９に設けられたバーナガン１１を挿入するための孔９ａに対向する位置である。また、小径孔１５ｃの直径は、バーナガン１１の先端の外径と略同一寸法に設定されている。さらに、小径孔１５ｃの周縁は、バーナボディ９に向けて延出して円筒状部分１５ｅを形成し、この円筒状部分１５ｅにバーナガン１１を内装するガイドパイプが配置されて支持される。そして、バーナガン１１は、前述したようにバーナボディ９の孔９ａからラジアントチューブ３内に挿入され、ラジアントチューブ３と略平行に配置され、その先端がバッフル１５で支持されているガイドパイプ（図示せず）の中に挿入されている。このように、バーナガン１１の先端はバッフル１５の小径孔１５ｃの位置にあり、燃焼用空気噴射口３３と一定の距離を離して配置されている。
【００２９】
壁体１２は、蓄熱体１７の外周部に形成されており、燃焼用空気噴射口３３に対向する部分の径方向の高さは、燃焼用空気噴射口３３の高さとほぼ同一に設定されている。このように設定することによって、燃焼用空気噴射口３３から吸入されるほぼ全ての燃焼排ガスを壁体１２に衝突させて拡散させることができる。
【００３０】
図６に本実施の形態に使用した壁体１２及び蓄熱体１７の断面図を示した。図へ６に示すように、壁体１２は蓄熱体１７の外周の全周に亘って形成されており、燃焼用空気噴射口３３に対向する部分が厚めに形成されている。このように、燃焼用空気噴射口３３に対向する部分が厚めに形成することで、燃焼用空気噴射口３３から吸入される燃焼排ガスが確実に衝突するようになり、蓄熱体への均等な流入をより確実にする。
なお、この実施の形態では、壁体１２における燃焼用空気噴射口３３に対向する部分を厚めに形成したが、壁体１２の全周を同一の厚みに形成してもよい。このようにすれば、壁体１２の製作が容易になる。
【００３１】
以上のように構成された一方のバーナ５は、以下のように作動する。
まず、パイロット燃焼を行う場合には、燃料供給通路２３の制御弁２５を閉弁し、燃料をバイパス通路２７を介してのみバーナガン１１へ供給する。このバーナガン１１へは、燃焼用空気供給源から常にパイロット燃焼用空気が圧送されており、燃料とパイロット燃焼用空気とがパイロット燃焼に適した空気比の混合ガスになる。そして、この混合ガスに点火プラグで着火し、パイロット燃焼を行う（図１に示す上側のバーナ５の状態）。
【００３２】
バーナガン１１がパイロット燃焼を行っている状態において、燃料供給通路２３の制御弁２５を開き、且つ、燃焼用空気供給源からの主燃焼用空気の供給を開始すると、燃料供給源から多量の燃料がバーナガン１１の燃料通路１９に圧送され、バーナガン１１は主燃焼を行う。
そして、この主燃焼している状態において、燃料供給通路２３の制御弁２５を閉じるとともに、燃焼用空気供給源からの燃焼用空気の供給を停止すると、バーナガン１１がパイロット燃焼の状態に戻る。この状態でも、バーナガン１１へは燃料供給通路２３のバイパス通路２７介して少量の燃料が供給され、また、燃焼用空気供給源は常に燃焼用空気を供給しているので、バーナガン１１は、安定したパイロット燃焼を行う。
【００３３】
このように作動する各バーナ５を備えたラジアントチューブバーナ１は、各バーナ５を交互に作動させる、いわゆる、交番燃焼を行う。
まず、一方のバーナ５（以下、一方のバーナ５に関する構成要素の符号には、Ａを付記する。）を作動させ、他方のバーナ５（以下、他方のバーナ５に関する構成要素の符号には、Ｂを付記する。）を非作動状態にする場合について説明する。
この場合には、燃料供給通路２３Ａの制御弁２５Ａを開弁し、燃焼用空気通路２３Ｂの制御弁２５Ｂを閉弁するとともに、空気通路機構１０の四方弁４１を図１に示す位置に切り替える。
これにより、バーナ５Ａには主燃焼に必要な燃料と主燃焼用空気及びパイロット燃焼用空気が供給され、上述した主燃焼が行われる。一方、バーナ５Ｂのバーナガン１１Ｂにはパイロット燃焼に適した量の燃料およびパイロット燃焼用空気が供給されており、パイロット燃焼が継続される。
【００３４】
バーナ５Ａの主燃焼で発生した燃焼排ガスは、ラジアントチューブ３内をこれを加熱しながらバーナ５Ｂに向けて流れる。そして、この燃焼排ガスは、バッフル１５Ｂの燃焼用空気噴射口３３Ｂから燃焼用空気通路１３Ｂ内に流入し、空気通路機構１０を介して大気側に排出される。このとき、燃焼用空気噴射口３３Ｂがラジアントチューブ内で偏心した配置となっていることからラジアントチューブ円形断面での燃焼排ガスは偏流となって燃焼用空気通路１３Ｂに流入する。そして、この流入した燃焼排ガスは壁体１２Ｂに衝突して拡散され、バーナボディ９Ｂ内の蓄熱体１７Ｂ内にほぼ均等に流入する。蓄熱体１７Ｂ内に流入した燃焼排ガスは、そこで熱回収されて排気される。なお、燃焼排ガスから熱回収した各蓄熱体１７Ｂの温度は上昇して、燃焼用空気の予熱に供される。
【００３５】
バーナ５Ａが主燃焼を開始してから所定時間Ｔ（例えば、２０秒位）だけ経過すると、図２に示した燃料供給通路２３Ａの制御弁２５Ａが閉弁し、燃料供給通路２３Ｂの制御弁２５Ｂが開弁するとともに、空気通路機構１０の四方弁４１が切り替わり、作動側と待機側のバーナ５Ａ、５Ｂが交替し、バーナ５Ｂで主燃焼が行われ、バーナ５Ａでパイロット燃焼が行われる。
【００３６】
図７は上述したバーナ５Ａ，５Ｂの交番燃焼の様子を示す図であり、横軸が時間を示し、縦軸がバーナ５Ａ，５Ｂのそれぞれについての燃焼状態を示している。図７に基づいて、バーナ５Ａ，５Ｂの交番燃焼の様子を説明する。時刻ｔ１において、バーナ５Ａが主燃焼を開始し、バーナ５Ｂがパイロット燃焼を開始する。そして、時間Ｔだけ経過した時刻ｔ２では、主燃焼を行っていたバーナ５Ａがパイロット燃焼に切り替わり、パイロット燃焼を行っていたバーナ５Ｂが主燃焼を開始する。以後同様にして、時間Ｔの経過毎に、作動側と待機側のバーナ５Ａ、５Ｂが切り替わり、ラジアントチューブバーナ１は交番燃焼を実施する。
【００３７】
実施の形態２．
図８は本発明の他の実施の形態のバーナ部の断面図である。実施の形態１においては、蓄熱体１７を主燃焼用空気通路１３内にのみ配置し、蓄熱体１７の全周に亘って壁体１２を形成した例を示したが、本実施の形態においては、蓄熱体１７を主燃焼用空気通路１３内及びバーナボディ９内の下側に並べて配置すると共に、主燃焼用空気通路１３内に配置した蓄熱体１７の外周部の一部に壁体１２を形成したものである。
図９は主燃焼用空気通路１３内に配置した蓄熱体１７及び壁体１２の断面図である。この実施の形態２のように壁体１２を蓄熱体１７の外周の一部に設けることによって、蓄熱体１７の流路断面を広くすることができ、燃焼排ガスのよどみを少なくできる。
【００３８】
なお、上記の実施の形態１，２においては、蓄熱体１７を主燃焼用空気通路１３の断面より小形に形成して蓄熱体１７の外周部に壁体１２を別途設けたものを示したが、蓄熱体１７を主燃焼用空気通路１３の断面と同形に形成して蓄熱体１７における燃焼用空気噴射口３３に対向する部分の孔を埋めることによって壁体を形成してもよい。このようにすれば、蓄熱体１７及び壁体１２を新たに製作しなくてもよいので、コストを低く抑えることができる。
【００３９】
なお、各蓄熱体１７の設置位置は上述した実施の形態１，２に限るものではなく、主燃焼用空気通路１３内、または、これに接続される空気通路機構１０の通路途中であればどの位置であってもよい。
【００４０】
また、上述の実施の形態１，２は本発明の好適な実施の形態の一つではあるが、本発明はこれに限定されたものではなく発明の要旨を逸脱しない範囲において種々変形実施可能である。例えば、上記の実施の形態においては、各バーナ５の作動待機状態の切替えを、Ｔ時間毎に繰り返す構成としたが、各蓄熱体１７Ａ、１７Ｂの温度を監視し、この温度が設定温度以上に達した時点で、各バーナ５Ａ、５Ｂの作動、待機を切り替える構成としてもよい。
【００４１】
さらに、本発明のバーナをラジアントチューブから独立し形式、すなわち、燃焼排ガス雰囲気を充満して被加熱物を直接加熱する炉に適用してもよい。
また、例えば実開平６−６５７０５公報に開示されたような三又形のラジアントチューブを用いた蓄熱式ラジアントチューブシステムにも適用できる。
さらに、バーナの蓄熱体はハニカム状蓄熱体に限るものではなく、ボール状、塊状などセラミックス、金属など如何なる形状、材質の物に適用可能である。
【００４２】
【発明の効果】
以上のように、本発明においては、蓄熱体における燃焼排ガスの流入断面を、蓄熱体と燃焼用空気噴射口との間の通気路断面よりも小さく設定し、燃焼用空気噴射口から導入された燃焼排ガスの全部又は一部が蓄熱体にストレートに流入しないように蓄熱体を配置したので、蓄熱体内を通過しようとする燃焼排ガスが偏流している場合でも、燃焼排ガスを蓄熱体にほぼ均等に流入させることが可能となり、蓄熱体での偏熱を防止して熱ストレス等による蓄熱体の割れを防止し、蓄熱体寿命の延命を図り長期間安定した運転ができる蓄熱式バーナを可能にした。これによって、熱設備の補修費低減、バーナ損傷により緊急対策として該当バーナの燃焼を停止した場合に発生する炉への投入熱量低減、作業能率低下など機会損失の低減など種々の効果が得られる。
【００４３】
また、蓄熱体における燃焼排ガスの流入断面の一部に、燃焼排ガスが通過できない壁体を形成し、燃焼用空気噴射口から導入された燃焼排ガスの全部又は一部が蓄熱体にストレートに流入しないようにしたので、燃焼用空気噴射口から導入された燃焼排ガスが壁体に衝突して拡散され、蓄熱体にほぼ均等に流入するようになり、蓄熱体での偏熱が防止され、熱ストレス等による蓄熱体の割れの発生が防止される。このため、蓄熱体寿命の延命が図られ、長期間安定した運転ができる蓄熱式バーナが実現された。これによって、熱設備の補修費低減、バーナ損傷により緊急対策として該当バーナの燃焼を停止した場合に発生する炉への投入熱量低減、作業能率低下など機会損失の低減など種々の効果が得られる。
【００４４】
さらに、整流板又は壁体を備えた蓄熱式バーナをラジアントチューブの端部に少なくとも１つ以上配置することによって、上記効果に加えてラジアントチューブバーナの有する効果を得ることができる。
【００４５】
また、ラジアントチューブバーナにおける蓄熱式バーナにおける燃焼用空気噴射口を、ラジアントチューブの径方向に偏心して設けるようにしたので、上記効果に加えて、ラジアントチューブ内に噴出する燃焼用空気による自己循環流が発生し、燃料ガスと燃焼用空気が直ちに接触することがなくなり、燃焼が徐々に進行する緩慢燃焼が実現でき、ＮＯX の発生を抑制することができる。
【図面の簡単な説明】
【図１】本発明の実施の形態１の説明図である。
【図２】本発明の実施の形態１における燃料給通路の系統図である。
【図３】本発明の実施の形態１におけるラジアントチューブバーナの燃焼状態と供給される空気量の関係を示す説明図である。
【図４】本発明の実施の形態１のバーナの近傍の断面図である。
【図５】本発明の実施の形態１におけるバッフルの説明図である。
【図６】本発明の実施の形態１に適用した壁体及び蓄熱体の断面図である。
【図７】本発明の実施の形態１におけるラジアントチューブバーナの交番燃焼の様子を説明する説明図である。
【図８】本発明の実施の形態２におけるバーナの近傍の断面図である。
【図９】本発明の実施の形態２に適用した壁体及び蓄熱体の断面図である。
【図１０】従来の蓄熱式バーナを用いた燃焼排ガス雰囲気の加熱炉の概略図である。
【図１１】従来のラジアントチューブバーナの構成の説明図である。
【符号の説明】
１  ラジアントチューブバーナ
３  ラジアントチューブ
５  バーナ
１１  バーナガン
１２  壁体
１３  燃焼用空気通路
１５  バッフル
１９  燃料通路
２１  パイロット燃焼用空気通路
３３  燃焼用空気噴射口
【図１】
0003760392.tif 000002
【図２】
0003760392.tif 000003
【図３】
0003760392.tif 000004
【図４】
0003760392.tif 000005
【図５】
0003760392.tif 000006
【図６】
0003760392.tif 000007
【図７】
0003760392.tif 000008
【図８】
0003760392.tif 000009
【図９】
0003760392.tif 000010
【図１０】
0003760392.tif 000011
【図１１】
0003760392.tif 000012